(57)【要約】【課題】収容された吸収性物品の相対的な触り心地を向上させるパッケージを提供する。【解決手段】実施形態にかかるパッケージ１０は、おむつ１００を包装する包装材２を有している。おむつ１００と使用者の手の皮膚を想定した疑似皮膚との接触によって発生する第１摩擦音が、包装材２の外側表面と疑似皮膚との接触によって発生する第２摩擦音よりも小さい。第２摩擦音と、第１摩擦音との差が０ｄＢ超５ｄＢ未満であることが好ましい。【選択図】図２
2020196542.tif 000002
【特許請求の範囲】
【請求項１】
吸収性物品を包装する包装材を有し、
前記吸収性物品と使用者の手の皮膚を想定した疑似皮膚との接触によって発生する第１摩擦音が、前記包装材の外側表面と前記疑似皮膚との接触によって発生する第２摩擦音よりも小さい、パッケージ。
【請求項２】
前記第２摩擦音と、前記第１摩擦音との差が０ｄＢ超５ｄＢ未満である、請求項１に記載のパッケージ。
【請求項３】
前記包装材の内側表面と前記疑似皮膚との接触によって発生する第３摩擦音と、前記第１摩擦音との差が０ｄＢ超５ｄＢ未満である、請求項１又は２に記載のパッケージ。
【請求項４】
前記包装材に、相対的に剛性が低く前記使用者が切断して開封する切断部が備えられ、
前記切断部と前記疑似皮膚との接触によって発生する第４摩擦音と、前記第１摩擦音と差が０ｄＢ以上５ｄＢ未満である、請求項１乃至３のいずれか１項に記載のパッケージ。
【請求項５】
前記包装材の最外層に、前記疑似皮膚との接触によって摩擦音を発生させるマット層が備えられている、請求項１乃至４のいずれか１項に記載のパッケージ。
【請求項６】
前記包装材は、樹脂製シートから形成された基層を備え、該基層の一部又は全域にマット層を有する被覆層を備える、請求項１乃至５のいずれか１項に記載のパッケージ。
【請求項７】
請求項１乃至６のいずれか１項に記載のパッケージと、該パッケージに収容された吸収性物品とを備える、吸収性物品の包装体。
【請求項８】
前記吸収性物品が、肌対向面を形成する液透過性の表面シート、非肌対向面を形成する外装シート、及び前記表面シートと前記外装シートとの間に位置する吸収体を備え、
前記外装シートが、エアスルー不織布である、請求項７に記載の吸収性物品の包装体。
【請求項９】
前記吸収性物品が、肌対向面を形成する液透過性の表面シート、非肌対向面を形成する外装シート、及び前記表面シートと前記外装シートとの間に位置する吸収体を備え、前記吸収体は、吸収性コア及び該吸収性コアを被覆するコアラップシートを有しており、
前記コアラップシートが、不織布である、請求項７又は８に記載の吸収性物品の包装体。
【発明の詳細な説明】
【技術分野】
【０００１】
本発明は、パッケージ及び吸収性物品の包装体に関する。
【背景技術】
【０００２】
従来、吸収性物品は、包装材からなるパッケージに収容された状態で、販売されることが多い。特許文献１には、パッケージと、パッケージに収容された吸収性物品とを有する吸収性物品の包装体が記載されている。特許文献１において、吸収性物品と、その吸収性物品を包装しているパッケージには、使用者が吸収性物品の仕様を確認するための情報が表示されている。
【先行技術文献】
【特許文献】
【０００３】
【特許文献１】特開２０１１−１１１１６５号公報
【発明の概要】
【発明が解決しようとする課題】
【０００４】
ところで、パッケージに収容された吸収性物品は、パッケージに表示されている情報から想像するおむつの品質と、パッケージを開封した際に実際に感じる吸収性物品の品質との間に差異が生じることがある。パッケージに収容された吸収性物品は、開封時に初めに触る吸収性物品の印象が重要であり、パッケージを開封する際には、パッケージと吸収性物品を同時に触る場合が多い。このため、パッケージと吸収性物品の相対的な触り心地が重要となる。触り心地は、触感のみならず、対象物に触れたことにより生じる音にも影響される。また、パッケージを触れた時に生じる音よりも、収容された吸収性物品を触れた際に生じる音が大きいと、吸収性物品の素材の品質が劣る印象を抱くことがある。
【０００５】
本発明は、吸収性物品を触れた時に生じる音がパッケージを触れた際に生じる音よりも小さくすることにより、触り心地等、吸収性物品の素材の品質についての印象を向上させることができる、パッケージ及び吸収性物品の包装体を提供することである。
【課題を解決するための手段】
【０００６】
本発明は、吸収性物品を包装する包装材を有し、前記吸収性物品と使用者の手の皮膚を想定した疑似皮膚との接触によって発生する第１摩擦音が、前記包装材と前記疑似皮膚との接触によって発生する第２摩擦音よりも小さい、パッケージを提供するものである。
また本発明は、前記パッケージと、該パッケージ内に収容された複数枚の吸収性物品とを備える、吸収性物品の包装体を提供するものである。
【発明の効果】
【０００７】
本発明のパッケージによれば、収容された吸収性物品に触れたときに感じる、触り心地等の、吸収性物品の素材の品質についての印象を向上させることができる。
本発明の吸収性物品の包装体によれば、パッケージから取り出した吸収性物品に触れたときに感じる、触り心地等の、吸収性物品の素材の品質についての印象を向上させることができる。
【図面の簡単な説明】
【０００８】
【図１】実施形態にかかるパッケージ及び吸収性物品の包装体の斜視図である。
【図２】パッケージ及び吸収性物品の包装体の一部の斜視図である。
【図３】パッケージ及び吸収性物品の包装体の正面の部分の断面図である。
【図４】実施形態の変形例１にかかるパッケージ及び吸収性物品の包装体の一部の斜視図である。
【図５】実施形態の変形例２にかかるパッケージ及び吸収性物品の包装体の一部の斜視図である。
【発明を実施するための形態】
【０００９】
以下、本発明をその好ましい実施形態に基づいて説明する。
本発明の実施形態にかかるパッケージ１０及び吸収性物品の包装体１について、図１乃至図３を参照しながら説明する。以下、吸収性物品の包装体を単に包装体ともいう。図１は、実施形態にかかるパッケージ１０及び包装体１の斜視図である。図２は、パッケージ１０及び包装体１の一部の斜視図である。図３は、パッケージ１０及び包装体１の正面の部分の断面図である。
【００１０】
包装体１は、パッケージ１０と、パッケージ１０に収容された吸収性物品１００とを備える。より具体的には、パッケージ１０には、図１に示すように、複数のおむつ１００（吸収性物品）が包装されている。尚、パッケージ１０によって包装する吸収性物品は、おむつ１００を想定しているが、ナプキン等の他の吸収性物品としてもよい。
パッケージ１０は、可撓性のシート材である包装材を、吸収性物品１００を内部に収容可能な形状に形成したものである。
好ましい構成の包装材は、基層１１、被覆層１２及び表示層１３を備えている。以下、基層１１、被覆層１２及び表示層１３について説明する。
【００１１】
パッケージ１０を構成する包装材は、樹脂製シートからなる基層１１を備える。基層１１は、袋状に形成され、複数のおむつ１００を収納する。パッケージ１０の正面１１ａを形成する基層１１には、相対的に剛性が低く使用者が切断して開封する切断部１１Ｋが備えられている。ここで、使用者が、切断部１１Ｋに囲まれた部分を手５００でつまんで引っ張ると、切断部１１Ｋを境にして、切断片１１Ｐが形成される。
この切断片１１Ｐの形成によって、パッケージ１０に開封口が形成される。基層１１は、例えば、柔軟性及び強度のある樹脂製シートからなる。樹脂製シートは、例えば、ポリオレフィン、ポリアミド、ポリエステル、ポリブチレンテレフタレート又はポリエチレンテレフタレート等からなる。樹脂製シートは、単層構造でも多層構造でも良い。また層間に遮光性や防湿性を高めるアルミ蒸着層を備えていても良い。
【００１２】
被覆層１２は、基層１１の外表面側に設けられ、マット印刷によって光を散乱させる凹凸が形成された層である。具体的には、被覆層１２は、樹脂１２ｍに粒状のマット剤１２ｎが含有されて構成されている。樹脂１２ｍは、例えば、アクリル系樹脂、エポキシ系樹脂、ウレタン系樹脂、ポリオレフィン系樹脂、フッ素系樹脂又はフェノキシ系樹脂等からなる。マット剤１２ｎは、例えば、シリカ、アルミナ、酸化カルシウム、炭酸カルシウム、硫酸カルシウム、ケイ酸カルシウム又はカーボンブラック等からなる。
図１に示すパッケージ１０及び包装体１における被覆層１２は、基層１１の切断部１１Ｋと重なる部分に設けられている。切断部１１Ｋと重なる部位に被覆層１２が存在する場合、図３に示すように、基層１１と被覆層１２とを備える切断片１１Ｐが生じるようにすることが好ましい。被覆層１２の切断部１２Ｋは、切断部１１Ｋに沿って基層１１を切断する際に、被覆層が破断して形成されても良いし、予め切断部１１Ｋに沿って形成されていても良い。
【００１３】
パッケージ１０を構成する包装材２の外側表面又は内側表面の摩擦音は、例えば、基層１１の外面又は内面に、被覆層１２として、マット印刷によりマット印刷層を設け、そのマット印刷層におけるマット濃度及び印刷線数のいずれか一方又は双方を適宜に変更して、表面に形成される凹凸の密度を調整することにより、調節することができる。ここで、外側表面及び外面は、パッケージの外側を向いた面であり、内側表面及び内面は、パッケージの内側を向いた面、すなわち吸収性物品側を向いた面である。
マット濃度とは、マット印刷層の樹脂１２ｍ中のマット剤１２ｎの濃度である。この濃度を高めることにより摩擦音は大きくなり得る。印刷線数とは、マット印刷層を印刷層の上に印刷する密度である。印刷線数を増加させることによっても摩擦音は大きくなり得る。被覆層１２は、マット印刷層と印刷層とを有することが好ましい。マット印刷層は、マット印刷によって形成された層である。印刷層は、例えば、カーボンブラック、ジアミン、ポリオール、硬化剤及び有機溶媒等を含有してなるインク組成物が、グラビア印刷法等によって、基層１１の表面に塗布されて形成されている。有機溶媒は、例えば、トルエン等からなり、印刷後に揮発する。硬化剤は、例えば、イソシアネート等からなる。
【００１４】
包装材と疑似皮膚との摩擦音をおむつ外装と疑似皮膚との摩擦音に近づけるためには、マット剤１２ｎの形状、粒径等にもよるが、マット剤の配合量を増減して適切な量とすることが好ましく、例えばマット剤は、マット剤と樹脂を含む樹脂層中にマット剤と樹脂の合計質量に対して、１質量％以上２０質量％以下含有することが好ましく、５質量％以上１５質量％以下含有することがより好ましい。
また同様の観点から、マット剤の粒径は、０．１μｍ以上５０μｍ以下であることが好ましい。
【００１５】
包装材２と疑似皮膚との接触によって発生する摩擦音について説明する。本実施形態では、摩擦音の一種である擦過音を、摩擦音として次のようにして測定して評価した。
測定機器の測定台の上に使用者の指を想定した疑似皮膚を固定し、１ｋＰａになるように調整した錘（接触面５ｃｍｘ５ｃｍ、質量２５０ｇ）の下面に、パッケージ１０の包装材を固定し、疑似皮膚の上を１０ｃｍの距離を人手で１秒間に２往復の速度で２０往復させた。パッケージ１０の包装材は、外側表面の摩擦音を測定する際には、外側表面を疑似皮膚側に向けて固定し、内側表面の摩擦音を測定する際には、内側表面を疑似皮膚側に向けて固定した。また外側表面及び内側表面に、マット印刷層等のマット層が存在する場合、錘の下面に固定する部分に、マット層ができるだけ広い面積存在するように固定する。
【００１６】
また、錘から１０ｃｍの位置に騒音計（リオン株式会社製、精密騒音計、ＮＬ−５２）を固定し、摩擦により生じる音の測定を行った。１０００Ｈｚ〜４０００Ｈｚの各周波数（１０００、１２５０、１６００、２０００、２５００、３１５０及び４０００Ｈｚ）における音量（ＤＢ）を記録し、その最大値を算出した。同様に、前記方向と直交する方向についても測定を行なった。それぞれの方向について、各３回ずつ計測し、６点の測定値の平均値を算出した。
【００１７】
疑似皮膚は、株式会社ビューラックス社製のバイオスキンプレートを用いた。疑似皮膚（バイオスキンプレート）は、大きさＡ４サイズ、素材としてハイブリッドゲル、厚みが５ｍｍ、硬度がＥタイプ１６で、表面改質（さらさら肌）で、平均動摩擦が平均０．８６６のものを用いた。定圧苛重器には、テクロック製  ＧＳ−７１０を用い、デュロメータには、テクロック製ＧＳ−７２１Ｎ（タイプＥ）を用いた。疑似皮膚の平均動摩擦の測定は、ＪＩＳ  Ｋ  ６２５３Ｅに従って行い、計測時間は１５秒、平均動摩擦（面接触子にバイオスキン皮膜１００ｕｍ貼付け）、ハンディーラブテスターＴｙｐｅ：ＴＬ−７０１を用いて動摩擦係数を測定した。
【００１８】
第１摩擦音の測定は、おむつ（吸収性物品）を、パッケージ１０内に収容されている状態、すなわち２つ折り又は３つ折りされている扁平な状態のまま、１ｋＰａになるように調整した錘（接触面５ｃｍｘ５ｃｍ、質量２５０ｇ）の下面に、該下面に一方の面側を当接させて固定し、他方の面側を疑似皮膚に接触させた以外は、包装材と疑似皮膚との摩擦音の測定と同様にして、測定した。吸収性物品は、吸収体と重なる部分の外装シートが、疑似皮膚に接触させるようにした。図１に、第１摩擦音を測定する際に、疑似皮膚に当接させた部位を符号１００ａで示した。
【００１９】
本実施形態のパッケージ１０及び包装体１は、おむつ１００と使用者の手の皮膚を想定した疑似皮膚との接触によって発生する第１摩擦音が、包装材２の外側表面と疑似皮膚との接触によって発生する第２摩擦音よりも小さい。すなわち、第１摩擦音ｃが第２摩擦音ａよりも低いことを前提として、第２摩擦音ａと第１摩擦音ｃとの差（ａ−ｃ）が０超である。その達成のために、基層１１の最外層に、疑似皮膚との接触によって摩擦音を発生させるマット印刷層からなる被覆層１２が備えられている。
第２摩擦音と第１摩擦音との差は、５ｄＢ未満であることが好ましい。具体的には、第２摩擦音ａと第１摩擦音ｃとの差（ａ−ｃ）は、好ましくは０ｄＢ超５ｄＢ未満であり、より好ましくは０ｄＢ超以上３ｄＢ未満である。一般的に、５ｄＢ以上の差があると音の大小を認識できることがあり、３ｄＢ未満であれば認識されることが殆どない。摩擦音の差が小さいことが好ましい。
【００２０】
また包装材２の内側表面と疑似皮膚との接触によって発生する第３摩擦音と、第１摩擦音との差が５ｄＢ未満であることも好ましい。第３摩擦音（ｂ）と第１摩擦音（ｃ）との差（ｂ−ｃ）は、０ｄＢ超でも０ｄＢ以下でもよいが、吸収性物品の品質の印象を一層向上させる観点から、０ｄＢであることが好ましく、より好ましくは、０ｄＢ５ｄＢ未満である。
また、本実施形態のパッケージ１０は、基層１１に、相対的に剛性が低く使用者が切断して開封する切断部１１Ｋが備えられ、切断部１１Ｋと疑似皮膚との接触によって発生する第４摩擦音ｄと第１摩擦音ｃとの差（ｄ−ｃ）が０ｄＢ以上５ｄＢ未満であることが好ましい。第４摩擦音と第１摩擦音とは、どちらが大きくても良いが、第４摩擦音が第１摩擦音よりも大きい方が好ましく、また両者の差が小さい方が、吸収性物品の品質の印象の向上等の観点から好ましい。
【００２１】
おむつ１００は、肌対向面を形成する液透過性の表面シートと、非肌対向面を形成する外装シートとを備えている。表面シートと外装シートとの間には、吸収体が配されており、これらの部材がおむつ１００を構成している。おむつ１００の外装シートとしては、ポリオレフィンやポリエステルなどの樹脂から構成される不織布である。ポリオレフィンとしてはポリエチレン、ポリプロピレンなどが挙げられ、ポリエステルとしてはポリエチレンテレフタレートなどが挙げられる。不織布としては、スパンボンド不織布、エアスルー不織布、スパンレース不織布、ヒートロール不織布、メルトブローン不織布、又はこれらの積層不織布等を用いることができ、スパンボンド不織布、エアスルー不織布が好ましく、エアスルー不織布がより好ましい。おむつ１００の吸収体は、パルプやＳＡＰなどから構成される吸収性コアがコアラップシートに被覆されている。コアラップシートとしては、紙又は不織布が好ましく、不織布であることがより好ましい。
【００２２】
ここで、表１を参照しつつ、おむつ１００の品質評価法について説明する。ここでは、パッケージ開封時に開封者が感じる、パッケージの中身のおむつの品質を評価する。
パッケージ１０をミシン目の開封口を開封し、中身のおむつ１００を取り出す際に感じた、おむつ１００の品質を左記の５段階で評価した。より具体的には、５名の評価者に対し、開封時の吸収性物品の品質評価を実施し、評価スコアの平均値を算出した。評価者は、吸収性物品の品質評価に関し熟練した者である。
評価スコアは、品質が良くないを評点１、品質がやや良くないを評点２、どちらともいえないを評点３、品質がやや良いを評点４、品質が良いを評点５とし、評点が高い程、品質が高くなるようにした。
【００２３】
実施例１の構成は、次の通りである。パッケージ１０の外側面（包装材の外側表面）のみに、マット印刷層からなる被覆層１２を設け、ポリエチレンフィルムからなるおむつ１０の外装シートには、ポリエチレンテレフタレート（ＰＥＴ）とポリエチレン（ＰＥ）を主成分とする繊維（ＰＥＴが芯、ＰＥが鞘の芯鞘繊維）からなる坪量２０ｇｓｍのエアスルー不織布を用いた。吸収性コアを包むコアラップシートとして坪量１４ｇｓｍの薄葉紙を用いた。実施例２の構成は、次の通りである。パッケージ１０の内側面（包装材の内側表面）のみに、マット印刷層からなる被覆層１２を設け、またコアラップシートに、坪量１３ｇｓｍのＳＭＳ不織布を用いた。実施例２のその他の構成は、実施例１と同様である。実施例３の構成は、次の通りである。パッケージ１０の内側面にも、マット印刷層からなる被覆層１２を設けた。実施例３のその他の構成は、実施例２と同様である。
比較例の構成は、次の通りである。パッケージ１０の外面及び内面のいずれにも被覆層１２を設けていない。比較例のその他の構成は、実施例１と同様である。
表１中では、包装材の外側表面を包装材の外面と表記し、包装材の内側表面を包装材の内面と表記した。
【００２４】
【表１】
2020196542.tif 000003
【００２５】
また基層１１の切断部１１Ｋと重なる部位に、マット印刷層からなる被覆層１２を設けたパッケージ１０について、前記切断部と前記疑似皮膚との接触によって発生する第４摩擦音ｄを測定した結果、第４摩擦音ｄと第１摩擦音ｃとの差（ｄ−ｃ）は０ｄＢ以上５ｄＢ未満、より具体的には０ｄＢ超５ｄＢ未満であった。
【００２６】
表示層１３は、例えば、基層１１の右側面１１ｂの下方に設けられ、おむつ１００に関する情報がインクによって印刷された層である。情報は、例えば、パッケージ１０に包装されているおむつ１００のサイズや枚数である。表示層１３は、例えば、カーボンブラック、ジアミン、ポリオール、硬化剤及び有機溶媒等を含有してなるインク組成物が、グラビア印刷法等によって、基層１１の外表面側に塗布されて形成されている。有機溶媒は、例えば、トルエン等からなり、印刷後に揮発する。硬化剤は、例えば、イソシアネート等からなる。
【００２７】
実施形態の変形例１にかかるパッケージ２０について図４を参照しながら説明する。
図４は、実施形態の変形例１にかかるパッケージ２０の一部の斜視図である。実施形態の変形例１において、前述した実施形態と同様の構成は、同一の符号を付して説明を省略する。
【００２８】
図４に示す実施形態の変形例１において、パッケージ２０は、基層１１の外表面側に設けられた被覆層１２に加えて、基層１１の内表面側にも被覆層２１を設けている。被覆層２１の仕様は、被覆層１２の仕様と同様である。
【００２９】
実施形態の変形例２にかかるパッケージ３０について図５を参照しながら説明する。図５は、実施形態の変形例２にかかるパッケージ３０の一部の斜視図である。実施形態の変形例２において、前述した実施形態と同様の構成は、同一の符号を付して説明を省略する。
【００３０】
図５に示す実施形態の変形例２において、パッケージ３０は、基層１１の正面１１ａ、右側面１１ｂ、左側面１１ｃ及び天井面１１ｄの全領域に、被覆層３１が設けられている。被覆層３１の仕様は、被覆層１２の仕様と同様である。
【００３１】
実施形態にかかるパッケージ１０、２０及び３０の作用効果について説明する。
【００３２】
パッケージ１０、２０及び３０は、おむつ１００を包装する基層１１（包装体）を有している。おむつ１００と使用者の手の皮膚を想定した疑似皮膚との接触によって発生する第１摩擦音が、基層１１と疑似皮膚との接触によって発生する第２摩擦音よりも小さい。
このような構成によれば、パッケージ１０を開封する際などにパッケージ１０とおむつ１００に触れた場合に、発生した音による不快感を抑制することができる。具体的には、おむつ１００と疑似皮膚とを擦過した際に生じる摩擦音（１０００−４０００Ｈｚでの最大デシベル）が、パッケージ１０と疑似皮膚とを擦過した際に生じる摩擦音より小さくなるように設定している。ここで、一般的に、人間の耳が感じることのできる周波数領域２０Ｈｚ〜２００００Ｈｚのうち、特に１０００Ｈｚ〜４０００Ｈｚの音域を騒音として感じることが知られている。このため、１０００Ｈｚ〜４０００Ｈｚの音域の音量（ｄＢ）を下げることによって、音による不快感を軽減させる。これにより、パッケージ１０及び包装体１によれば、触り心地等、吸収性物品の素材の品質についての印象を向上させることができる。
【００３３】
本発明を実施するに当たり、上記の実施形態は、一例であり、具体的な態様を種々に変更して実施できる。
前述した本発明の実施形態に関し、更に以下の付記を開示する。
【００３４】
＜１＞
吸収性物品を包装する包装材を有し、
前記吸収性物品と使用者の手の皮膚を想定した疑似皮膚との接触によって発生する第１摩擦音が、前記包装材の外側表面と前記疑似皮膚との接触によって発生する第２摩擦音よりも小さい、パッケージ。
＜２＞
前記第２摩擦音と、前記第１摩擦音との差が５ｄＢ未満である、前記＜１＞に記載のパッケージ。
＜３＞
前記包装材の内側表面と前記疑似皮膚との接触によって発生する第３摩擦音と、前記第１摩擦音との差が０ｄＢ超５ｄＢ未満である、前記＜１＞又は＜２＞に記載のパッケージ。
＜４＞
前記包装材に、相対的に剛性が低く前記使用者が切断して開封する切断部が備えられ、
前記切断部と前記疑似皮膚との接触によって発生する第４摩擦音と、前記第１摩擦音との差が０ｄＢ以上５ｄＢ未満である、前記＜１＞〜＜３＞のいずれか１に記載のパッケージ。
＜５＞
前記包装材の最外層に、前記疑似皮膚との接触によって摩擦音を発生させるマット層が備えられている、前記＜１＞〜＜４＞のいずれか１に記載のパッケージ。
【００３５】
＜６＞
前記マット層が、アクリル系樹脂、エポキシ系樹脂、ウレタン系樹脂、ポリオレフィン系樹脂、フッ素系樹脂又はフェノキシ系樹脂から選択される樹脂と、シリカ、アルミナ、酸化カルシウム、炭酸カルシウム、硫酸カルシウム、ケイ酸カルシウム又はカーボンブラックから選択されるマット剤を含有している＜５＞に記載のパッケージ。
＜７＞
前記包装材の基層が、ポリアミド、ポリエステル、ポリブチレンテレフタレート又はポリエチレンテレフタレートから選択される樹脂を含有している、前記＜１＞〜＜４＞のいずれか１に記載のパッケージ。
＜８＞
前記包装材は、樹脂製シートから形成された基層を備え、該基層の一部又は全域にマット層を有する被覆層を備える、前記＜１＞〜＜７＞のいずれか１に記載のパッケージ。
＜９＞
前記吸収性物品が、液透過性の表面シート、吸収体及び外装シートを含む吸収性本体を備える、前記＜１＞〜＜８＞のいずれか１に記載のパッケージ。
＜１０＞
前記吸収体の吸収性コアが紙又は不織布、好ましくは不織布で被覆されている、前記＜９＞に記載のパッケージ。
【００３６】
＜１１＞
前記＜１＞〜＜１０＞のいずれか１に記載のパッケージと、該パッケージに収容された吸収性物品とを備える、吸収性物品の包装体。
＜１２＞
前記吸収性物品は、外装シートを備え、該外装シートが、ポリオレフィン、ポリエステルから選択される樹脂を含む不織布であり、好ましくはスパンボンド不織布、エアスルー不織布であり、より好ましくはエアスルー不織布である、前記＜１＞〜＜１０＞のいずれか１に記載の吸収性物品の包装体。
【符号の説明】
【００３７】
１  吸収性物品の包装体
１０，２０，３０  パッケージ
２  包装材
１１  基層
１１ａ  パッケージの正面
１１ｂ  パッケージの右側面
１１ｃ  パッケージの左側面
１１ｄ  パッケージの天井面
１１Ｋ  切断部
１１Ｐ  切断片
１２，２１  マット印刷層（被覆層、マット層）
１２ｍ  樹脂
１２ｎ  マット剤
１３  表示層
１００  おむつ（吸収性物品）
５００  手
【図１】
2020196542.tif 000004
【図２】
2020196542.tif 000005
【図３】
2020196542.tif 000006
【図４】
2020196542.tif 000007
【図５】
2020196542.tif 000008